Podtech/llm-jp-corpus-v4-ja_patent huggingface dataset:
(57)【要約】【課題】この発明は餌釣りで釣り上げた魚の口中に飲み込まれている釣り針を自分の目で確認することなく迅速で確実に取り外すことができ、釣り針と一緒に飲み込まれている釣り餌を容易に取り除くことができる機能を持たせた釣り針外し具を提供する。【解決手段】釣り針外し具（１）にガイド（２）と凹部（３）を設け、指掛け部（９）に掻き出し（６）を設けたことを特徴とする。【選択図】　図１
2004097177.tif 000002
【特許請求の範囲】
【請求項１】
釣り針外し具（１）にガイド（２）と凹部（３）を設け、指掛け部（９）に掻き出し（６）を設けた釣り針外し具。
【発明の詳細な説明】
【０００１】
【発明の属する技術分野】
この発明は、餌釣りで釣り上げた魚の口中に飲み込まれている釣り針を自分の目で確認することなく、迅速で確実に取り外すことができ、釣り針と一緒に飲み込まれている釣り餌を容易に取り除くことができる機能を持たせた釣り針外し具に関するものである。
【０００２】
【従来の技術】
従来の釣り針外し具を使用すると、魚に飲み込まれている釣り針はたいへん確認しにくいため取り外すことに時間もかかり失敗も多く苦労をしていた。また釣り針と一緒に魚の口中に飲み込まれている釣り餌を取り除く方法もないので苦労をしていた。
【０００３】
【発明が解決しようとする課題】
そのために、次のような欠点があった。
（イ）　魚の口中に飲み込まれているたいへん見えにくい釣り針を自分の目で確認しながらでなければ取り外すことができないので時間がかかり苦労をしていた。
（ロ）　魚の口中に飲み込まれているたいへん確認しにくい釣り針を外そうとするときに釣り針の結び目やハリスを傷つけたり切ってしまう失敗があり、その度に釣りの仕掛けを取り替えなければならない煩わしさがあった。
（ハ）　夜釣りや早朝など、暗い場所での魚の口中に飲み込まれている釣り針を確認することは容易ではなく釣り針を確実に取り外すことが困難である。
（ニ）　魚の口中に釣り針と一緒に飲み込まれている釣り餌がある場合、釣り餌を取り除く良い方法もなく苦労をしていた。
【０００４】
【課題を解決するための手段】
釣り針外し具（１）にガイド（２）と凹部（３）を設ける。そして指掛け部（９）に掻き出し（６）を設ける。
本発明は、以上の構成からなる釣り針外し具である。
【０００５】
【発明の実施の形態】
以下、本発明の実施の形態について説明する。
（イ）　釣り針外し具（１）の挟持体（７）の先端部に切り欠き（４）を入れたガイド（２）を設ける。
（ロ）　釣り針外し具（１）の指掛け部（９）に爪状でＶ型の掻き出し（６）を設ける。
（ハ）　釣り針外し具（１）の挟持体（７）と（８）に凹部（３）を設ける。
本発明は、以上のような構造からなる釣り針外し具である。
【０００６】
【実施例】
図１は請求項１の発明に関する釣り針外し具（１）の斜視図である。これを使用するときは、図２に示すようにガイド（２）の切り欠き（４）からハリス（１１）を挿入し、孔（５）に通す。そしてガイド（２）をハリス（１１）に摺動させて図３に示すように魚の口中に飲み込まれている釣り針（１２）を孔（５）に挿入する。このときガイド（２）がハリス（１１）と摺動して釣り針（１２）まで移動するので必然的に孔（５）に釣り針（１２）が挿入することになる。
【０００７】
次に、図４に示すように孔（５）に挿入した魚の口中に飲み込まれている釣り針（１２）を挟持したとき挟持体（７）と（８）の内面に凹部（３）を設けてあるので、中空部（１０）となりハリス（１１）と釣り針の結び目（１３）を誤って挟持することがないのでハリス（１１）を傷つけたり切ったりする失敗がなく魚に飲み込まれている釣り針を確実に取り外すことができる。
【０００８】
飲み込まれていた魚の口中から取り外した釣り針（１２）はガイド（２）の切り欠き（４）からハリス（１１）を抜脱し釣り針（１２）の取り外しが完了となる。
【０００９】
図５は釣り上げた魚の口中に釣り針（１２）と一緒に飲み込まれている釣り餌（１４）がある場合、掻き出し（６）を使用して釣り餌（１４）を取り除く説明図である。釣り餌（１４）が魚の口中に飲み込まれていると、ガイド（２）とハリス（１１）が摺動してガイド（２）の孔（５）に釣り針（１２）が挿入するときのさまたげとなるので魚の口中から釣り餌（１４）を取り除くのである。こうすれば釣り針（１２）とガイド（２）の間の釣り餌（１４）が取り除かれて簡単に孔（５）に釣り針（１２）が挿入し、釣り針外し具で確実に釣り針を挟持し容易に取り外すことができる。また掻き出し（６）は爪状でＶ型であるため釣り餌の種類や大小にかかわらず適応できるものである。
【０００１０】
【発明の効果】
以上説明したように、釣り上げた魚の口中に飲み込まれているたいへんに見つけにくい釣り針を自分の目で確認しなくても確実に釣り針外し具で挟持しハリスと釣り針の結び目を誤って挟持してしまいハリスを傷つけたり切ってしまう心配がなく迅速で確実に魚の口中に飲み込まれている釣り針を取り外すことができ釣り針の取り外しに失敗して切れてしまった仕掛けを取り替える煩わしさも解消する。また釣り針と一緒に飲み込まれている釣り餌を魚の口中から簡単に掻き出して取り除く事ができる。
【図面の簡単な説明】
【図１】本発明の斜視図
【図２】孔（５）にハリス（１１）を挿入した状態を示す釣り針外し具（１）先端部の説明図である。
【図３】孔（５）に釣り針（１２）を挿入した状態を示す釣り針外し具（１）先端部の説明図である。
【図４】釣り針（１２）を挟持した状態を示す釣り針外し具（１）先端部の説明図である。
【図５】掻き出し（６）を使用して釣り餌（１４）を取り除く説明図である。
【符号の説明】
（１）　釣り針外し具
（２）　ガイド
（３）　凹部
（４）　切り欠き
（５）　孔
（６）　掻き出し
（７）　挟持体
（８）　挟持体
（９）　指掛け部
（１０）中空部
（１１）ハリス
（１２）釣り針
（１３）結び目
（１４）釣り餌
【図１】
2004097177.tif 000003
【図２】
2004097177.tif 000004
【図３】
2004097177.tif 000005
【図４】
2004097177.tif 000006
【図５】
2004097177.tif 000007
(57)【要約】【課題】洗濯が容易で、通水性と通気性に優れ、かつ排出液体を通過させることのない座位保持マットを提供する。【解決手段】主として、身障者や高齢者が座るためのマットであって、防水性に優れた下敷シート１の上に、通水性と通気性に優れたゴム弾性を有するスプリング構造体２を設け、さらにその上に、通水性と通気性に優れた表面カバー３を設け、前記下敷シート１の下面に滑り止め構造１ａを形成する。液体は、表面カバー３とスプリング構造体２を円滑に通過して、下敷きシート１上に留まると共に、当該表面カバー３とスプリング構造体２は短時間で乾燥する。従って、座位保持マットの下に位置する畳や椅子を汚したり傷めることがなく、着用している衣服の汚れも最小限に抑えることができる。【選択図】　　　図１
2004097375.tif 000002
【特許請求の範囲】
【請求項１】
主として、身障者や高齢者が座るためのマットであって、
防水性に優れた下敷シート（１）の上に、通水性と通気性に優れたゴム弾性を有するスプリング構造体（２）を設け、さらにその上に、通水性と通気性に優れた表面カバー（３）を設けてなる座位保持マット。
【請求項２】
主として，身障者や高齢者が座るためのマットであって，
防水性に優れた下敷シート（１）の上に，通水性と通気性に優れたゴム弾性を有するスプリング構造体（２）を設け，さらにその上に，通水性と通気性に優れた表面カバー（３）を設け、
前記下敷シートの下面に滑り止め構造（１ａ）を形成してなる座位保持マット。
【発明の詳細な説明】
【０００１】
【発明の属する技術分野】本発明は、主として、身障者や高齢者が座る座位保持マットに関するものである。
【０００２】
【従来の技術】身障者や高齢者は体の動きが不自由であるため、不本意ながら座布団に座ったまま排尿等をしてしまうことがある。そのため、座布団や畳等を汚してしまい、後の処理が厄介である。
【０００３】
【発明が解決しようとする課題】一般に、座布団は、綿やそれに類する材料で作られているため簡単に洗濯することができず、従って、一度その上に排尿等をしてしまうと、座布団そのものを著しく傷めてしまう。
【０００４】
また、こうした座布団は、保水性が高い反面、排出液体を通過させてしまうので、身障者等は、長時間にわたって濡れた状態の座布団の上に座ることを強いられ、着用している衣服を広い範囲で汚してしまい、また、その下の畳や椅子等も汚したり傷めてしまうことになる。
【０００５】
本発明はこうした問題に鑑み創案されたもので、洗濯が容易で、通水性と通気性に優れ、かつ排出液体を通過させることのない座位保持マットを提供することを課題とする。
【０００６】
【課題を解決するための手段】図１および図２を参照して説明する。第一の発明に係る座位保持マットは、主として、身障者や高齢者が座るためのマットであって、防水性に優れた下敷シート１の上に、通水性と通気性に優れたゴム弾性を有するスプリング構造体２を設け、さらにその上に、通水性と通気性に優れた表面カバー３を設けてなる。
【０００７】
第二の発明に係る座位保持マットは、主として、身障者や高齢者が座るためのマットであって、防水性に優れた下敷シート１の上に、通水性と通気性に優れたゴム弾性を有するスプリング構造体２を設け、さらにその上に、通水性と通気性に優れた表面カバー３を設け、前記下敷シート１の下面に滑り止め構造１ａを形成してなる。
【０００８】
【発明の実施の形態】本発明に係る座位保持マットの実施形態を、図１および図２に示す。これは、身障者や高齢者が座るためのマットであって、防水性に優れた下敷シート１の上に、通水性と通気性に優れたゴム弾性を有するスプリング構造体２を設け、さらにその上に、通水性と通気性に優れた表面カバー３を設けている。そして、下敷シート１の下面に滑り止め構造１ａを形成している。
【０００９】
本実施形態における下敷きシート１は、防水性の高いビニールシート等の樹脂材で形成している。また、スプリング構造体２は、東洋紡製の「ブレスエアー」（登録商標）で構成している（図２参照）。従って、このスプリング構造体２は、通水性と通気性に優れるのみでなく、体型保持性、圧縮回復性あるいは耐久性等にも優れる。また、表面カバー３は、布や無数の微細孔を有する樹脂材で形成している。さらに、本実施形態における滑り止め構造１ａは、下敷きシート１の下面のほぼ全体に、細かな凹凸状の粗目を形成することによって構成している。
【００１０】
本実施形態に係る座位保持マットは、防水性に優れた下敷シート１と、通水性と通気性に優れたゴム弾性を有するスプリング構造体（「ブレスエアー」）２と、通水性と通気性に優れた表面カバー３とで形成しているので、従来の綿製等の座布団と異なり、容易に洗濯することができる。従って、必要に応じて洗濯することによって、傷みを少なくすることができる。
【００１１】
また、液体は、表面カバー３とスプリング構造体２を円滑に通過して、下敷きシート１上に留まると共に、当該表面カバー３とスプリング構造体２は短時間で乾燥する。従って、座位保持マットの下に位置する畳や椅子を汚したり傷めることがなく、着用している衣服の汚れも最小限に抑えることができる。
【００１２】
さらに、このスプリング構造体２は、体型保持性にも優れるので、その上に座る身障者や高齢者等は、安定した座位を長時間保持することができる。
【００１３】
また、下敷きシート１の下面には滑り止め構造１ａを設けているので、当該マットの滑りを防止することができ、安全性にも優れる。
【００１４】
【発明の効果】請求項１に記載の発明に係る座位保持マットは、防水性に優れた下敷シート１と、通水性と通気性に優れたゴム弾性を有するスプリング構造体２と、通水性と通気性に優れた表面カバー３とで形成しているので、容易に洗濯することができる。従って、必要に応じて洗濯することにより、傷みを抑制することができる。
【００１５】
また、液体は、表面カバー３とスプリング構造体２を円滑に通過して、下敷きシート１上に留まると共に、当該表面カバー３とスプリング構造体２は短時間で乾燥するので、座位保持マットの下に位置する畳や椅子を汚したり傷めることがなく、着用している衣服の汚れも最小限に抑えることができる。
【００１６】
請求項２に記載の発明に係る座位保持マットは、請求項１に記載の発明同様、当該マット、畳や椅子あるいは衣服の汚れや傷みを抑えることができると共に、下敷きシート１の下面には滑り止め構造１ａを設けているので、当該マットの滑りを防止することができ、安全性にも優れる。
【図面の簡単な説明】
【図１】本発明に係る座位保持マットの実施形態を示す斜視図である。
【図２】図１に示す座位保持マットのスプリング構造体を示す斜視図である。
【符号の説明】
１　　下敷きシート
１ａ　滑り止め構造
２　　スプリング構造体
３　　表面カバー
【図１】
2004097375.tif 000003
【図２】
2004097375.tif 000004
(57)【要約】【課題】バスタオルの上端に紐や留め具を設ける必要がなく、製造が容易に行なえ、安価に提供できるとともに、使用時において紐を結んだり、留め具を留めたりする必要もなく、身体に対する着用が容易に行なえるようにする。【解決手段】湯上り後、身体を覆うバスタオル１であって、丸編みにより表面がパイル地となるように筒状に編成され、且つ全体に亘って弾性糸が挿入されて身体回りのサイズに対応して伸縮できるように構成した。【選択図】　　　　図１
2004097307.tif 000002
【特許請求の範囲】
【請求項１】
丸編みにより表面がパイル地となるように筒状に編成され、且つ全体に亘って弾性糸が挿入されて身体回りのサイズに対応して伸縮できるように構成したことを特徴とするバスタオル。
【発明の詳細な説明】
【０００１】
【発明の属する技術分野】
本発明は、湯上り後、身体を覆う筒状のバスタオルに関するものである。
【０００２】
【従来の技術】
従来、湯上り後、特に女性の場合はバスタオルを身体に巻き付けた状態で身体を冷ます場合が多く、その場合バスタオルの端を胸元に差し込むなどしているが、バスタオルの端を単に胸元に差し込んでいるだけであるので抜け外れやすいという問題があった。
【０００３】
そこで、このような問題を解決するために登録実用新案第３０３３０７１号公報に開示されているように広げられたバスタオルの上端に紐や留め具を設けたものや、特開２００２−２０９７８９号公報に開示されているように広げられたバスタオルの上端に伸縮性があるようにゴムを装着するとともに留め具を設けたものなどが知られている。
【０００４】
【特許文献１】
登録実用新案第３０３３０７１号公報
【０００５】
【特許文献２】
特開２００２−２０９７８９号公報
【０００６】
【発明が解決しようとする課題】
しかしながら、これらのバスタオルは上端に紐や留め具を設ける必要があることから製造に手間がかかり、コストアップに繋がるという問題や、バスタオルを身体に巻き付けるとき紐を結んだり、留め具を留めたりしなければならず面倒であるという問題があった。
【０００７】
本発明はこのような課題を解決するもので、バスタオルの上端に紐や留め具を設ける必要がなく、製造が容易に行なえ、安価に提供できるとともに、使用時において紐を結んだり、留め具を留めたりする必要もなく、身体に対する着用が容易に行なえるようにすることを目的とするものである。
【０００８】
【課題を解決するための手段】
この課題を解決するために本発明は、丸編みにより表面がパイル地となるように筒状に編成され、且つ全体に亘って弾性糸が挿入されて身体回りのサイズに対応して伸縮できるように構成したことを要旨とするものである。
【０００９】
この構成により、筒状で全体に亘って弾性糸が挿入されて身体回りのサイズに対応して伸縮できるように構成してあるので、上端に紐や留め具を設ける必要がなく製造が容易に行なえ、安価に提供できるとともに、使用時において紐を結んだり、留め具を留めたりする必要もなく、身体に対する着用が容易に行なえる。
【００１０】
【発明の実施の形態】
以下、本発明の一実施の形態について、図面に基づいて説明する。
図１において、１は丸編みにより表面がパイル地となるように編成された筒状のバスタオルで、全体に亘って弾性糸が挿入されて身体回りのサイズに対応して伸縮できるようになっている。２は前記バスタオル１の表面のパイルである。
【００１１】
図２および図３にかかる筒状のバスタオル１を身体３に着用した状態を示しており、身体３に着用する際はバスタオル１の何れかの端部より足を入れてバスタオル１を脇の下あたり迄持ち上げれば良い。なお、バスタオル１は筒状であるがために、両端に開口部４が形成されており、バスタオル１の一端、他端の何れからでも足を入れて着用することができる。
【００１２】
【発明の効果】
以上のように本発明のバスタオルは、筒状で全体に亘って弾性糸が挿入されて身体回りのサイズに対応して伸縮できるように構成してあるので、上端に紐や留め具を設ける必要がなく製造が容易に行なえ、安価に提供できるとともに、使用時において紐を結んだり、留め具を留めたりする必要もなく、身体に対する着用が容易に行なえる。
【図面の簡単な説明】
【図１】本発明の一実施の形態におけるバスタオルの斜視図である。
【図２】同バスタオルの着用状態を前方から見た斜視図である。
【図３】同バスタオルの着用状態を後方から見た斜視図である。
【符号の説明】
１　　バスタオル
２　　パイル
３　　身体
４　　開口部
【図１】
2004097307.tif 000003
【図２】
2004097307.tif 000004
【図３】
2004097307.tif 000005
(57)【要約】【課題】魚類などの生鮮食料品の鮮度を低下させることのない良好な陳列を極めて構成簡単な手段のもので容易に可能とさせる。【解決手段】魚類などの生鮮食料品Ａを陳列台の上面に載置させて販売する陳列装置において、陳列台４の上面６下側に水を流通させて、陳列食料品Ａの冷却を行う。また、一定温度以下に冷却した冷却水を陳列台４の上面６下側に流通させる。【選択図】　　　図３
2004097325.tif 000002
【特許請求の範囲】
【請求項１】
魚類などの生鮮食料品を陳列台の上面に載置させて販売する陳列装置において、陳列台の上面下側に水を流通させて陳列食料品の冷却を行うことを特徴とする陳列装置。
【請求項２】
一定温度以下に冷却した冷却水を陳列台の上面下側に流通させたことを特徴とする請求項１記載の陳列装置。
【発明の詳細な説明】
【０００１】
【発明の属する技術分野】
本発明は主に魚・貝類などの生鮮食料品を販売するための陳列装置に関する。
【０００２】
【発明が解決しようとする課題】
従来、魚類などの生鮮食料品を低温度下で陳列する陳列台にあっては、冷媒ガスとの熱交換で低温に冷却する冷却コイル上に食料品を並べたり、陳列台内部全体を低温に冷却するなどして食料品の鮮度を保っているが、冷却コイルを用いた場合食料品が乾燥したり低温度のときコイル表面に結露が発生する不都合があると共に、陳列台内部全体を低温に冷却する場合には熱損失も大きく陳列台に接触する食料品裏側の良好な冷却も行われないなどの不都合があった。
【０００３】
【課題を解決するための手段】
したがって本発明は、魚類などの生鮮食料品を陳列台の上面に載置させて販売する陳列装置において、陳列台の上面下側に水を流通させて陳列食料品の冷却を行って、食料品を乾燥させることのない鮮度を良好に保った陳列を行うもので、極めて簡単にして安価な手段のもので食料品の商品的価値を損うことのない販売を可能とさせるものである。
【０００４】
また、一定温度以下に冷却した冷却水を陳列台の上面下側に流通させて、食料品に悪影響を与えることのない効果的な食料品の冷却を可能とさせて、食料品の鮮度を良好に安定維持させるものである。
【０００５】
【発明の実施の形態】
以下、本発明の実施例を図面に基づいて詳述する。図１は陳列装置の全体斜視図、図２は同断面説明図であり、陳列装置１は陳列ケース２の上側に開放部３を有して、該開放部３の下方に前低後高状に陳列台４を配設させ、陳列台４の上面に魚・貝類などの生鮮食料品Ａを並べてこれらの販売を行うように構成している。
【０００６】
図３、図４にも示す如く、前記陳列台４は購買者側となる傾斜下端より傾斜上端に向け冷却水を流通させる上部開放形の流水槽５と、流水槽５の開放部を覆うアクリル樹脂製の透明陳列板６とで形成し、陳列板６の傾斜下端側及び左右両側縁を流水槽５にビス７を介し交換自在に固定させ、傾斜上端側の流水槽５と陳列板６との間の隙間を水のオーバフロー口８に形成している。
【０００７】
また、前記オーバフロー口８より排出される水を一時貯留するオーバフロータンク９をオーバフロー口８下方に配設させると共に、前記タンク９内のオーバフロー水を濾過槽１０・送水ポンプ１１・冷却装置１２・切換式調整バルブ１３を介し流水槽５の傾斜下端側の水流出口１４に流通させて、流水槽４の傾斜下端の水流出口１４より上端に冷却水を流通させる間に陳列板６上面上に載置させる魚など生鮮食料品を略一定温度下で冷却して鮮度を保持させるように構成している。
【０００８】
さらに、冷却水には食塩水を混入させ冷却温度が０℃以下まで下降したときの凍結など防止すると共に、食料品とともに摂取された場合の人体への悪影響を防止して、陳列板６上の温度を例えば２〜５℃の一定温度以下に保つように設けている。
【０００９】
また、前記陳列ケース２のオーバフロー口８上方に冷却水を散水する散水パイプ１５を配設させ、前記バルブ１３から分流させる冷却水を散水パイプ１５から陳列板６上の食料品Ａに散水させて、乾燥など確実に防止するように構成している。
【００１０】
前記流水槽４の傾斜下端側の左右方向に複数の水流出口１４を略等間隔に設けると共に、隣接する水流出口１４間に空気を噴出させる空気噴出口１６を複数設けるもので、前記濾過槽１０（濾過槽と区画した分割槽でも良い）の冷却水に浸漬させる冷却コイル１７よりの低温度の取入空気をコンプレッサ１８を介し噴出口１６より流水槽５の冷却水中に噴出させて、流水槽５全巾に亘る略均一な流通を促進させて冷却効果を向上させると共に、陳列板６に透明板を用いた場合の流水槽５内の冷却水の流通状態を空気流の流通によって購買者などに視覚認識させて、食料品の冷却状態を購買者に容易に確認させて購買意欲を高めるように構成している。前記水流出口１４及び空気噴出口１６は左右方向に不等間隔或いは２つ毎を近接させるなど何れの設置でも良く、また上下方向の何れの位置でも良く位置、設置数も限定しない。
【００１１】
なお、前述実施例にあっては陳列板６にアクリル樹脂を用いたが、ガラス板や他の合成樹脂板でも良く、また透明性でなくても良い。
【００１２】
上記からも明らかなように、主に魚などの生鮮食料品Ａを陳列する陳列台４の上面である陳列板６の下側に水を流通させるだけの極めて簡単な手段によって、食料品Ａの鮮度を低下させることのない商品的価値の高い陳列が可能となるもので、例えば０℃以下など一定温度以下に冷却した冷却水を流通させることによって低温雰囲気下で食料品Ａの鮮度を確実に長期に保つものである。
【００１３】
【発明の効果】
以上実施例から明らかなように本発明は、魚類などの生鮮食料品Ａを陳列台４の上面６に載置させて販売する陳列装置において、陳列台４の上面６下側に水を流通させて陳列食料品Ａの冷却を行うものであるから、食料品を乾燥させることのない鮮度を良好に保った陳列を行って、極めて簡単にして安価な手段のもので食料品Ａの商品的価値を損うことのない販売を可能とさせることができるものである。
【００１４】
また、一定温度以下に冷却した冷却水を陳列台４の上面６下側に流通させたものであるから、食料品Ａに悪影響を与えることのない効果的に冷却を可能とさせて、食料品Ａの鮮度を良好に安定維持させることができるものである。
【図面の簡単な説明】
【図１】陳列装置の全体斜視図。
【図２】陳列装置の断面説明図。
【図３】陳列台の側面説明図。
【図４】陳列台の平面説明図。
【符号の説明】
４　　　　陳列台
Ａ　　　　食料品（魚類）
【図１】
2004097325.tif 000003
【図２】
2004097325.tif 000004
【図３】
2004097325.tif 000005
【図４】
2004097325.tif 000006
(57)【要約】【課題】ダイヤモンドの切削性を効果的に拡大できるようにした根管拡大用インスツルメント（ファイル）を提供する。【解決手段】歯科治療において、根管拡大用インスツルメントを、超音波振動子を内蔵したハンドピースの先端部に着脱自在に装着し、先端部を根管内に挿入して超音波振動させ、根管の拡大を行う。根管拡大インスツルメント２０は、屈曲弾性を有する金属性の母材２１から成り、その表面に離散的にダイヤモンド２２が電着されている。【選択図】　　　　図１
2004097516.tif 000002
【特許請求の範囲】
【請求項１】
超音波振動子を内蔵したハンドピースの先端部に着脱自在に装着し、先端部を根管内に挿入して超音波振動させ、根管の拡大を行う根管拡大用インスツルメントであって、該インスツルメントは、屈曲弾性を有する金属部材から成り、表面に離散的にダイヤモンドが電着されていることを特徴とする根管拡大用インスツルメント。
【請求項２】
前記ダイヤモンドは、少なくとも軸方向には不連続に電着されていることを特徴とする請求項１に記載の根管拡大用インスツルメント。
【発明の詳細な説明】
【０００１】
【発明の属する技術分野】
本発明は、歯科治療において、湾曲した根管を拡大するのに使用して好適なインスツルメント（ファイル）に関する。
【０００２】
【従来の技術】
歯科治療において、歯内療法の根管治療の一過程で、象牙質内に侵入した細菌，異物など軟化牙質を削除するため、根管を広げる操作、いわゆる、根管拡大作業がある。この根管拡大作業は、移管口、すなわち、歯冠歯髄と根管歯髄との移行部を、ファイルやリーマーなどを用いて漏斗状に拡大する操作で、根尖部まで器械や薬剤の到達を容易にするために行うもので手動式、電動式等種々あるが、インスツルメント（ファイル）を超音波振動させて根管させて根管拡大を行うものもある。
【０００３】
図２は、ファイルを超音波振動させて根管拡大作業を行う場合の一例を示す図で、図中、１０は超音波振動子を内蔵したハンドピース、２０は該ハンドピース１０に着脱自在に装着される根管拡大用のインスツルメント（ファイル）、３０は根管拡大作業を受ける歯牙で、３１が根管である。
【０００４】
【発明が解決しようとする課題】
而して、超音波振動を用いて根管拡大を行う場合、ダイヤモンドファイルを使うこともあるが、このダイヤモンドファイルは、切削効率は良いが、ファイル自体に弾性（屈曲性）がないため、図２に示したような、湾曲した根管３１を拡大しようとした場合、ダイヤモンドファイルが根管３１に沿って湾曲しないため、上手く根管拡大をすることができないといった問題があった。
【０００５】
本発明は、上述のごとき実情に鑑みてなされたもので、特に、ダイヤモンドの切削性を効果的に利用して、かつ、湾曲した根管を効果的に拡大できるようにした根管拡大用インスツルメント（ファイル）を提供する事を目的としてなされたものである。
【０００６】
【課題を解決するための手段】
請求項１の発明は、超音波振動子を内蔵したハンドピースの先端部に着脱自在に装着し、先端部を根管内に挿入して超音波振動させ、根管の拡大を行う根管拡大用インスツルメントであって、該インスツルメントは、屈曲弾性を有する金属部材から成り、表面に離散的にダイヤモンドが電着されていることを特徴としたものである。
【０００７】
請求項２の発明は、請求項１の発明のおいて、前記ダイヤモンドは、少なくとも軸方向には不連続に電着されていることを特徴としたものである。
【０００８】
【発明の実施の形態】
図１（Ａ）、図１（Ｂ）は、それぞれ本発明による根管拡大用インスツルメント（ファイル）の例を説明するための図で、図中、２０は根管拡大インスツルメント、２１は例えばＳＵＳ等の屈曲弾性を有する金属性のファイル母材で、該ファイル母材２１の表面には、ダイヤモンド２２が離散的に電着されている。ダイヤモンド２２の電着模様は、電着の際に用いるマスクの模様によって決まるが、屈曲性をよくするために、例えば、少なくとも、軸方向にダイヤモンド層が連続しないように、換言すれば、図１（Ａ）に示すように、軸方向に離散するように電着し、更には、図１（Ｂ）に示すように、同方向にも離散するように電着する。
【０００９】
【発明の効果】
以上の説明から明らかなように、本発明によると屈曲弾性を有する金属母材の表面にダイヤモンドを離散的に電着して根管拡大用インスツルメント（ファイル）としたので、ダイヤモンドによって金属母材の屈曲弾力性が損われるようなことはなく、従って、湾曲した根管内に挿入して使用することが可能であり、しかも、ダイヤモンドによる切削性能の優れた根管拡大用のファイルを提供することができる。
【図面の簡単な説明】
【図１】本発明による根管拡大インスツルメントの例を説明するための図である。
【図２】根管拡大作業の例を説明するための図である。
【符号の説明】
１０…超音波振動ハンドピース、２０…根管拡大用インスツルメント（ファイル）、２１…ファイル母材、２２…ダイヤモンド、３０…歯牙、３１…根管。
【図１】
2004097516.tif 000003
【図２】
2004097516.tif 000004
(57)【要約】【課題】衣類や布団、靴、絨毯、布団等をその場で乾燥させなおかつ薬に頼らずに水虫を殺菌し、家ダニを殺虫できるようにすること。【解決手段】紫外線を集光し照射し補助ヒーターで適度な温風（洗濯物の衣類を傷めないようにこの場合は４０℃程度）や必要な熱風（この場合は殺菌殺虫出来る６０℃以上から８０℃程度）を発生させ、プロペラを扇風機とは逆方向に回転させて集光板に当たって跳ね返った温風や熱風を洗濯物や靴や絨毯、布団等に送風することで乾燥と殺菌殺虫が薬を使用せずに同時に出来るようになった。【選択図】　　　　図１
2004097467.tif 000002
【特許請求の範囲】
【請求項１】
紫外線や熱風で殺菌、殺虫し、温風で洗濯物や、靴、布団等を乾燥させる事が出来て、なおかつ簡単に持ち運びの出来る機械。
【発明の詳細な説明】
【０００１】
【発明が属する技術分野】
本発明は、温風による乾燥に、紫外線を照射することで自然な日光での乾燥に近い仕上がりに近づける事と、設置型の乾燥機と違い簡単に持ち運びが出来て洗濯物の乾燥を物干しに干したまま補助乾燥が出来るようにした事と、薬に頼らずに熱風により靴や、絨毯や布団等に潜む白鮮菌や家ダニを殺菌殺虫出来る機械を提供することにある。
【０００２】
【従来の技術】
乾燥機はその機械の中に洗濯物を入れて熱を加えてドラムを回転させて乾かす方式が主流であるが、近年は洗濯機と一体型の機種もある。
【０００３】
布団乾燥機は温風を吹き出させて乾燥させる。主に布団専用ではあるが部品を一部取り替えて靴の乾燥等も出来る。
【０００４】
以上見てきたように、方式の違いが明白である。１台の機械で洗濯物と布団、靴等を乾燥させることは出来ない。
【０００５】
家ダニや水虫（白鮮菌）は熱に弱いので補助ヒーターを使い６０℃以上の熱風で死滅させることが出来るので、靴や体重計、絨毯、布団等に潜んでいる家ダニや白鮮菌を薬を使用しないで殺菌殺虫出来る。
【０００６】
【発明が解決しようとする課題】
解決しようとする課題は、洗濯物を乾燥若しくは物干しに干したままの状態で補助乾燥が出来、布団や靴等も乾燥出来るようにすると共に、絨毯や布団に潜む家ダニや靴に潜む白鮮菌等を薬を使用せずに殺虫殺菌が出来る様にする事である。
【０００７】
【課題を解決するための手段】
本発明は、人体や衣類に有害な紫外線では無く、ＵＶカットされた紫外線を発生させる紫外線管を使い、これを集光板で集めて投光し、補助の熱源としてのヒーターで４０℃程度の温風や６０℃から８０℃程度の熱風を送風することで可能になった。
【０００８】
【発明の実施の形態】
扇風機の傘の部分を懐中電灯に変え、この中にプロペラを取り付けた機械だと考えると理解しやすいかと思われる。具体的には扇風機の傘の後ろ部分に集光板を貼って投光器を作る。次にプロペラの後ろに紫外線管とヒーターを取り付ける。このヒーターは温風と熱風とを作り出す為に温度設定を切り替える事は当然であるし、投光器の部分の加熱を防ぐために通常の扇風機と違いプロペラの送風の向きを逆方向として集光板に当て跳ね返った風を洗濯物や靴、絨毯、布団等に当てる構造にする。
【０００９】
【実施例】
図１は、本発明装置の概略図である。
【００１０】
【発明の効果】
以上説明したように、温風を吹き付け紫外線を照射するこの方式は洗濯物を乾燥、若しくはベランダの物干しなどに簡単に移動して補助乾燥させるだけではなく、熱風により靴に潜む水虫の殺菌、絨毯に潜む家ダニの殺虫等も出来る。
【図面の簡単な説明】
【図１】扇風機の傘部分を集光器の形状にした本発明機の図である。
【符号の説明】
ａ　　プロペラ
ｂ　　ヒーター
ｃ　　紫外線管
ｄ　　反射板
ｅ　　モーター
【図１】
2004097467.tif 000003
(57)【要約】【課題】カウンター下方に収納庫を収まりよく設置する。【解決手段】ダイニングルーム２側と台所３側とを仕切る、腰壁状の立上がり壁９が床５から立上がり形成され、この立上がり壁９の上部にダイニングルーム２側に張り出すようにしてカウンター１４が固定され、このカウンター１４の下方において、収納庫１７が、カウンター１４の下面及び立上がり壁９に密接する状態で、且つ、収納庫１７の底板２０の下面とダイニングルーム２の床５の上面との間に空間２１を形成するようにして、カウンター１４又は立上がり壁９の少なくとも一方に固定されている。【選択図】　図３
2004097435.tif 000002
【特許請求の範囲】
【請求項１】
ダイニングルーム側と台所側とを仕切る、腰壁状の立上がり壁が床から立上がり形成され、この立上がり壁の上部にダイニングルーム側に張り出すようにしてカウンターが固定され、このカウンターの下方において、収納庫が、カウンター下面及び立上がり壁に密接する状態で、且つ、収納庫の底板下面とダイニングルームの床面との間に空間を形成するようにして、カウンター又は立上がり壁の少なくとも一方に固定されている部屋。
【請求項２】
前記空間が、人間の足の、つま先を含む突出部が入り込む空間である請求項１記載の部屋。
【発明の詳細な説明】
【０００１】
【発明の属する技術分野】
本発明は、ダイニングルーム側と台所側とを仕切る、腰壁状（腰壁とは、高さが人間の腰又はそれよりやや高いのものであって、壁の上端面に人間［大人］の手が載せられる程の高さの壁をいう。）の立上がり壁が床から立上がり形成され、この立上がり壁の上部にダイニングルーム側に張り出すようにしてカウンターが固定されている部屋に関する。
【０００２】
【従来の技術】
従来、この種の部屋において、カウンターの下方に収納庫が設置されたものは知られている（参考文献：特開平６−０７０，８２４号公報）。
【０００３】
【従来技術の欠点】
前記従来の部屋には以下の如き欠点があった。
収納庫の高さを、カウンターの下面とダイニングルームの床面との高さに高い精度で合わせなければ、収納庫とカウンターとの間に空隙が発生して収納庫を収まりよくきれいに設置することが出来ないという欠点があった。また、たとえ、収納庫の高さを高い精度で製造したとしても、ダイニングルームの床面がうねっていたり、カウンターの設置精度が悪い場合には、前記欠点が発生していた。
【０００４】
【前記欠点を解消するための手段】
本発明は前記欠点を解消するために以下の如き手段を採用した。
▲１▼請求項１の発明は、ダイニングルーム側と台所側とを仕切る、腰壁状の立上がり壁が床から立上がり形成され、この立上がり壁の上部にダイニングルーム側に張り出すようにしてカウンターが固定され、このカウンターの下方において、収納庫が、カウンター下面及び立上がり壁に密接する状態で、且つ、収納庫の底板下面とダイニングルームの床面との間に空間を形成するようにして、カウンター又は立上がり壁の少なくとも一方に固定されているものである。
▲２▼請求項２の発明は、前記空間が、人間の足の、つま先を含む突出部（人間の足の、つま先を含む突出部とは、直立した人間を上から見た際、すねより突出した足の部分をいう。）が入り込む空間である請求項１記載のものである。
【０００５】
【発明の効果】
本発明は前記した如き構成によって以下の如き効果を奏する。
▲１▼請求項１の発明によれば、収納庫の底板下面とダイニングルームの床面との間に空間を形成しつつ、収納庫がカウンター又は立上がり壁の少なくとも一方に固定されるものであるから、収納庫の高さを、カウンターの下面とダイニングルームの床面との高さに高い精度で合わせなくても、収納庫を収まりよく設置することが出来る。
▲２▼請求項２の発明によれば、収納庫の底板下面とダイニングルームの床面との間の空間が、人間の足の、つま先を含む突出部が入り込む空間であるので、カウンターに向かって作業する際において、その空間に人間の足の、つま先を含む突出部を入れることが出来るので、つま先を収納庫にぶつけることなく当該作業を安全に且つ快適に行うことが出来る。
【０００６】
【発明の実施の形態】
以下に本発明の実施の形態を説明する。
なお、この説明において、前とは図１下側を、後とは同図上側をいい、左とは図１左側を、右とは同図右側をいう。
【０００７】
部屋１はダイニングルーム２と台所３とを有している。そして、ダイニングルーム２側と台所３側とが仕切り壁体８によって仕切られている。
【０００８】
前記仕切り壁体８は、床５から立上がり形成された、腰壁状の立上がり壁９と、天井４から垂下状に設けられた垂下壁１０と、立上がり壁９の右部と垂下壁１０の右部とに渡るつなぎ壁１１とを有している。前記立上がり壁９の左部と垂下壁１０の左部との間に開口１２が形成されている。
【０００９】
前記立上がり壁９の上部にダイニングルーム２側に張り出すようにしてカウンター１４が固定され、このカウンター１４の下方において、収納庫１７が、カウンター１４の下面及び立上がり壁９に密接する状態で、且つ、収納庫１７の底板２０の下面とダイニングルーム２の床５の上面との間に空間２１を形成するようにして、カウンター１４又は立上がり壁９の少なくとも一方に固定されている。
前記空間２１は、人間の足の、つま先を含む突出部が入り込む空間となされている。
【００１０】
前記台所３の床５には、立上がり壁９に密接するようにして、加熱調理器を有する流し台２４が設置されている。
【００１１】
【変形例等】
以下に変形例等について説明を加える。
（１）収納庫１７の、立上がり壁９又はカウンター１４への固定手段は任意である。
（２）収納庫１７のダイニングルーム２側を向く出し入れ口１８は、引き戸２２によって開閉自在となされているが、引き戸２２はなくてもよい。また、収納庫１７は背板を有しているが、背板のないものであってもよい。更に、収納庫１７は棚（図示略）を有しているが、棚を有しないものであってもよい。
（３）空間の前後長さが、人間の足の、つま先を含む突出部の長さより長い場合には、空間の奥部に装飾用脚や装飾用台輪を介挿させるようにしてもよい。更に、空間が、人間の足の、つま先を含む突出部が入り込むものであれば、空間の一部に装飾脚等が位置しても、請求の範囲の請求項２でいう空間である。
（４）なお、請求の範囲の請求項１でいう空間には、なんらの制限もない。要するに、収納庫１７の底板２０の下面とダイニングルーム２の床５の上面との間に所定の空間が形成されていれば、その空間は請求項１でいう空間である。
（５）カウンター１４の固定手段は任意である。
【図面の簡単な説明】
【図１】本発明の実施の形態を示す簡略水平断面図である。
【図２】図１のＩＩ−ＩＩ線断面図である。
【図３】図１のＩＩＩ−ＩＩＩ線断面図である。
【符号の説明】
１　部屋
２　ダイニングルーム
３　台所
８　仕切り壁体
９　立上がり壁
１４　カウンター
１７　収納庫
２０　底板
２１　空間
【図１】
2004097435.tif 000003
【図２】
2004097435.tif 000004
【図３】
2004097435.tif 000005
(57)【要約】【課題】外見上見映えが良く、歯ブラシ、歯磨き粉チューブやデンタルフロスが収納でき、その容器自体がワンタッチで歯ブラシに変換できる抗菌処理のなされた歯磨きセットを提供することを課題とする。【解決手段】本発明は、歯ブラシの柄の上部部分、それを覆う抗菌処理された上部キャップ部分、歯磨き粉チューブやデンタルフロスを収納する抗菌処理された下部キャップ部分の三部より構成される。上部のキャップを取り外し、下部のキャップに差し込むと、歯ブラシに変換される。これらはペン型ないしはそれの類似形態を特徴とする歯磨きセットとして提供される。【選択図】　　　　図１
2004097485.tif 000002
【特許請求の範囲】
【請求項１】
歯ブラシ、歯磨き粉チューブ、デンタルフロス等の歯磨きのための必要品がコンパクトに収納でき、収納容器に抗菌作用があり、かつ収納容器そのものが容易に歯ブラシに変換される歯磨きセット。
【発明の詳細な説明】
【０００１】
【発明が属する技術分野】
本発明は、歯磨きのための必要品がコンパクトに収納でき、収納容器に抗菌作用があり、かつ収納容器そのものが容易に歯ブラシに変換される歯磨きセットに関するものである。
【０００２】
【従来の技術】
携帯用の歯磨きセットは合成樹脂等のケースないしはパッケージに収納されているため、歯ブラシを取り出すのに面倒で、また外見上も魅力に欠けたものになっている。
【０００３】
また、ケースないしはパッケージがかさばるため、例えばオフィス等で食後に歯磨きを行う際、歯磨きセットをスマートに洗面所に持ち運びにくい。
【０００４】
歯ブラシに関しては、ブラシ部分を覆う抗菌樹脂のキャップを付ける形態のものもあるが、見栄えが良くなく、キャップの装着が面倒である。
【０００５】
【発明が解決しようとする課題】
外見上見映えが良く、歯ブラシ、歯磨き粉チューブやデンタルフロスが収納でき、その容器自体がワンタッチで歯ブラシに変換できる抗菌処理のなされた歯磨きセットを提供することを課題とする。
【０００６】
【課題を解決するための手段】
本発明は、歯ブラシの柄の上部部分、それを覆う抗菌処理された上部キャップ部分、歯磨き粉チューブやデンタルフロスを収納する抗菌処理された下部キャップ部分の三部より構成される。上部のキャップを取り外し、下部のキャップに差し込むと、歯ブラシに変換される。これらはペン型ないしはそれの類似形態を特徴とする歯磨きセットとして提供される。
【０００７】
【発明の実施の形態】
歯ブラシの柄の上部部分を覆う抗菌処理されたキャップ部分が、このキャップを取り外した際、これを歯磨き粉チューブやデンタルフロスを収納する抗菌処理されたキャップ部に前記のキャップを重ねることで歯ブラシの柄の下部部分が延長されるペン型類似の歯磨きセットを実現した。
【０００８】
【実施例】
以下、実施例を挙げて本発明を更に詳述するも、本発明はこれらに限定されるものではない。
【０００９】
実施例　　図１は、本発明装置の１実施例の外見図、外見透過図、使用形態図である。
【００１０】
本歯磨きセットは、抗菌処理された上下２つのキャップとそれらキャップを差し込む歯ブラシの柄上部より構成されている。
【００１１】
キャップＡにはホルダーがついている。歯ブラシの柄上部Ｂは、取り外しも可能な歯ブラシ部Ｂ−１とそれを差し込めるＢ−２より形成され、Ｂ−２には、キャップＡやキャップＢを付けるための溝がある。
【００１２】
歯磨きの際には、取り外したキャップＡをキャップＣに重ねることで歯ブラシの柄が延長される。
【００１３】
【発明の効果】
以上説明したように本発明の歯磨きセットは、歯ブラシの柄、歯磨き粉チューブやデンタルフロス等を収納する容器そのものが、即座に歯ブラシに変換されるという利点がある。　またペン型ないしはそれの類似形態を特徴とする為、見映えも良く、おしゃれであり、衛生的にもキャップ部分が抗菌処理されているので便利である。
【図面の簡単な説明】
【図１】ペン型類似歯磨きセット外見図、外見透視図、歯磨き時の使用形態図を説明した図である。（実施例）
【符号の説明】
１　　ペン型類似歯磨きセットの外見図
２　　外見透視図
３　　歯磨き時の使用形態図
Ａ　　ホルダーの付いた上のキャップ
Ｂ　　上下２つのキャップを差し込む歯ブラシの柄上部でＢ−１とＢ−２で構成
Ｂ−１　　歯ブラシの柄でＢ−２との取り外しが可能
Ｂ−２　　キャップＡとキャップＢを差し込むための溝があり、Ｂ−１装着のための空間（穴）がある。
Ｃ　　下のキャップ
【図１】
2004097485.tif 000003
(57)【要約】【課題】シートに円形を印刷し打ち抜いて、２ヶ所を接着することによって立体的で顔にフィットするマスクを形成するように設計したマスク組み立て用シート。【解決手段】本発明は紙またはプラスティックシートに円、屈折山形、目にあたる部分の切り抜きなどを印刷し、打ち抜いたマスクについて指定する箇所の外折り線と内折り線をそれぞれ折り込み、鼻の下部と顎の２ヶ所を接着することによって鼻梁を立体的に形成し、その下部に呼吸を容易にするすきまを作り、顔に密着するマスクを形成するものであり、模様と彩色を施せば、遊戯仮装用のお面となり、透明ないし半透明の耐湿性シートを使用すれば保護マスクに利用できる。【選択図】図１
2004097266.tif 000002
【特許請求の範囲】
【請求項１】
紙またはプラスティックなどのシートの上にほぼ顔を覆う大きさの円を書き、その中心Ｃを通る中心線と前記円との交点（頂点）をＡ、もう一方の交点（底点）をＥとし、頂点Ａと中心Ｃを結ぶ直線上の中間点をＢ、中心Ｃと底点Ｅを結ぶ直線上の中間点をＤとし、Ｄ点において中心線とほぼ直交する直線上にＤから左右に等距離の点Ｆ、Ｇを設け、直線ＤＦ、ＤＧをそれぞれ底辺とする合同な下向きの二等辺三角形の頂点をＨ、Ｉとし、ＤＨ、ＤＩを結ぶ直線を引き、次にＣとＨ、Ｉをそれぞれ結ぶ直線を延長して円の円周との交点Ｊ、Ｋを求め、直線ＨＪおよびＩＫを引くことによって屈折山形ＤＨＪＫＩを描き、このような図形において円および屈折山形と、直線ＦＨおよびＧＩ、および目に当たる場所を打ち抜き、ＤＨとＤＩ、およびＨＪとＩＫをそれぞれ接合するためにそれぞれのいずれか一方に糊付け部を設け、直線ＡＤ、ＤＦ、ＤＧを外折り線、直線ＢＦ、ＢＧを内折り線としたことを特徴とするマスク組み立て用シート。
【発明の詳細な説明】
【０００１】
【発明が属する技術分野】
この発明は紙またはプラスティックなどのシートを所要の形状に切断した後に、わずか２ヶ所を接合すれば容易に立体的なマスクが得られるようにしたマスク組み立て用シートに関するものである。
【０００２】
【従来の技術】
従来より平らな紙のお面、プラスティックを射出成型した立体的なお面などが知られている。
【０００３】
【発明が解決しようとする課題】
人間の顔は複雑な立方体であり、平らな紙のお面では，鼻を中心とする立体的な部分の表現ができず、顔にフィットする感じが生まれない。一方、プラスティックの射出成型によるお面は金型の製造を要し、コストが高くなる。この発明は前述の欠陥を解消しようとするものである。
【０００４】
【課題を解決するための手段】
本発明が提供するマスク組み立て用シートは、紙またはプラスティックなどのシートの上にほぼ顔を覆う大きさの円を書き、その中心Ｃを通る中心線と前記円との交点（頂点）をＡ、もう一方の交点（底点）をＥとし、頂点Ａと中心Ｃを結ぶ直線上の中間点をＢ、中心Ｃと底点Ｅを結ぶ直線上の中間点をＤとし、Ｄ点において中心線とほぼ直交する直線上にＤから左右に等距離の点Ｆ、Ｇを設け、直線ＤＦ、ＤＧをそれぞれ底辺とする合同な下向きの二等辺三角形の頂点をＨ、Ｉとし、ＤＨ、ＤＩを結ぶ直線を引き、次にＣとＨ、Ｉをそれぞれ結ぶ直線を延長して円の円周との交点Ｊ、Ｋを求め、直線ＨＪおよびＩＫを引くことによって屈折山形ＤＨＪＫＩを描き、このような図形において円および屈折山形と、直線ＦＨおよびＧＩ、および目に当たる場所を打ち抜き、ＤＨとＤＩ、およびＨＪとＩＫをそれぞれ接合するためにそれぞれのいずれか一方に糊付け部を設け、直線ＡＤ、ＤＦ、ＤＧを外折り線、直線ＢＦ、ＢＧを内折り線としたことを特徴とするものである。
【０００５】
【発明の実施の形態】
以下、本発明の実施の形態を実施例によって説明する。
（１）　プラスティックシート１の上に、半径１１０ｍｍの円２を描き、その中心Ｃを通る中心線と前記円との交点（頂点）をＡとし、中心線上の頂点Ａから５０ｍｍの位置をＢ、中心から３０ｍｍ下の位置をＤとし、点Ｄにおいて中心線と直交する長さ３０ｍｍの直線ＤＦおよびＤＧを引く。９０度以外の交叉角を選ぶときは、例えば直線ＡＤに対して８５度の角度をなす二つの直線ＤＦ、ＤＧを点Ｄの左右に引く。
【０００６】
（１）　ＤＦ、ＤＧをそれぞれ底辺とする合同な下向きの二等辺三角形の頂点Ｈ、Ｉ
を定め、ＤＨ、ＦＨ、ＤＩ、ＧＩ、をそれぞれ結ぶ直線を引き、点Ｃと点Ｉを結ぶ直線ＢＩの延長線と円周との交点Ｋを求めて直線ＩＫを引き、同様に点Ｃと点Ｈを結ぶ直線ＢＨを延長する直線と円周との交点をＪとし、直線ＨＪを引き、円の下部に屈折山形ＤＨＪＫＩを描く。
【０００７】
（２）　このような図形において円２および屈折山形ＤＨＪＫＩと、直線ＦＨ、ＧＩ、
および目にあたる場所３を打ち抜く。その際、ＤＩとＤＨおよびＩＫとＨＪをそれぞれ接合するためにそれぞれのいずれか一方に沿って設ける糊付け部４，５は屈折山形ＤＨＪＫＩの内部であるが、打ち抜かないで残す。
【０００８】
次に上記の要領で作成したシートの組み立て方を図１によって説明する。まず直線ＡＤ、ＤＦ、ＤＧを外折り線、ＢＦ、ＢＧを内折り線として折り込み、糊付け部４を用いてＤＨとＤＩを接合し、次に糊付け部５を用いてＨＪとＩＫを接合する。このとき切り抜いた直線ＦＨ、ＧＩは鼻梁下部のすきまを構成する。図２は糊付け部４を用いてＤＨとＤＩを接合した状態を示す正面図であり、図３はさらに糊付け部５を用いてＨＪとＩＫを接合した完成図である。
【０００９】
【発明の効果】
この発明は上述のような構成としたので、次の（１）〜（３）の効果を奏する。（１）紙、プラスティックなどのシートにあらかじめ設計された輪郭と切り込みを印刷し、打ち込み、鼻の下部と顎の部分を接合するのみで容易に鼻梁を立体的
に表現でき、かつ鼻梁の下部に呼吸を便にするすきまを作るマスクを得る。
（２）シートに模様、彩色を印刷し、目にあたる部分を切り抜くことによって多種多様なお面の生産を容易に行える。またシートの周辺部に髪に当たる場所、耳に当る場所などを設けることによって表現を多彩にすることができる。
（３）透明ないし半透明のプラスティックシートを打ち抜いて２ヶ所を接着することによって立体的で呼吸を妨げず、視界をさえぎらない保護マスクを安価に生産できる。この場合は目にあたる場所を切り抜くことを要しない。
【図面の簡単な説明】
【図１】実施例の組み立てシートの作成要領の説明図である。
【図２】図１の作成要領に従って作られた実施例の組み立てシートの糊付け部５を用いて鼻梁下部を接合した中間工程を示す図である。
【図３】図２の組み立てシートについてさらに糊付け部６を用いて顎部を接合して組み立てた状態を示す正面図である。
【符号の説明】
１　　プラスティックシート
２　　円
３　　目に当る場所の切り抜き
４　　糊付け部
５　　糊付け部
【図１】
2004097266.tif 000003
【図２】
2004097266.tif 000004
【図３】
2004097266.tif 000005